(57)【要約】【課題】発光ダイオード点灯回路のＥＭＩノイズを低減する。【解決手段】定電流回路１Ａは、ＬＥＤアレイ５の駆動電流を制御する駆動トランジスタ６と、駆動トランジスタ６を制御するＬＥＤ駆動回路７Ａとを備え、ＬＥＤ駆動回路７Ａは、駆動電流に基づく電圧と基準電圧とに基づいて、駆動トランジスタ６を制御する制御パルスを供給するオペアンプ７と、オペアンプ７により供給される制御パルスの立ち上がり時間及び立ち下がり時間を制御する動作電流制御回路２Ａとを有する。【選択図】図２
2012160287.tif 000002
【特許請求の範囲】
【請求項１】
発光ダイオードの駆動電流を制御する駆動トランジスタと、
前記駆動トランジスタを制御する集積回路とを備え、
前記集積回路は、立ち上がり時間及び立ち下がり時間が制御可能な駆動信号を前記駆動トランジスタに供給することを特徴とする発光ダイオード点灯回路。
【請求項２】
前記集積回路は、前記駆動電流に基づく電圧値と基準電圧とに基づいて、前記駆動トランジスタを制御する前記駆動信号を供給する比較増幅回路と、
前記比較増幅回路と前記駆動トランジスタとの間に配置されて、前記駆動信号を制御する出力制御回路とを有している請求項１記載の発光ダイオード点灯回路。
【請求項３】
前記集積回路は、前記発光ダイオードの輝度を調整するためのＰＷＭ信号に基づいて、前記発光ダイオードのオンオフ制御を行う回路を備え、
前記オンオフ制御を行う回路は、
前記比較増幅回路に一端が接続された直列に接続されるスイッチ回路群と、
前記ＰＷＭ信号に基づいて前記スイッチ回路群をオンオフするために設けられた制御回路とを含み、
前記スイッチ回路群は、少なくとも第１スイッチ回路と第２スイッチ回路とを含み、
前記出力制御回路は、
前記駆動トランジスタと前記第１スイッチ回路の一端との間に配置された第３スイッチと、
前記駆動トランジスタと前記第２スイッチ回路の一端との間に配置された第４スイッチと、
制御信号に基づいて、前記第３及び第４スイッチのオンオフを制御することにより、前記スイッチ群と前記駆動トランジスタとの接続を変更し、前記駆動トランジスタと、前記比較増幅回路間の抵抗値を変更するスイッチ制御回路とを含む請求項２記載の発光ダイオード点灯回路。
【請求項４】
前記出力制御回路は、並列に接続される抵抗値の異なる複数の抵抗と、
各抵抗に対応して前記比較増幅回路と前記抵抗との間にそれぞれ設けられた複数のスイッチと、
制御信号に基づいて、各スイッチのオンオフを制御することにより前記駆動トランジスタと、前記比較増幅回路との間の抵抗値を変更するスイッチ制御回路とを含む請求項２記載の発光ダイオード点灯回路。
【請求項５】
前記集積回路は、前記駆動電流に基づく電圧値と基準電圧とに基づいて、前記駆動トランジスタを制御する駆動信号を供給する比較増幅回路と、
前記比較増幅回路の動作電流を制御することにより、前記駆動信号の制御を行うために設けられた動作電流制御回路を含む請求項１記載の発光ダイオード点灯回路。
【請求項６】
前記動作電流制御回路は、前記比較増幅回路に定電流を供給するために、複数の電流源と、供給される電流源の数を調整するスイッチと、制御信号に基づいて前記スイッチを制御するスイッチ制御回路により、動作電流を制御する請求項５記載の発光ダイオード点灯回路。
【請求項７】
前記動作電流制御回路は、前記比較増幅回路に定電流を供給するためのトランジスタを含み、
前記トランジスタのゲート電圧を調整することにより、定電流を調整する請求項５記載の発光ダイオード点灯回路。
【請求項８】
前記トランジスタのゲート電圧は、抵抗分割回路により作成される請求項７記載の発光ダイオード点灯回路。
【請求項９】
前記集積回路は、前記駆動電流に基づく電圧値と基準電圧とに基づいて、前記駆動トランジスタを制御する前記駆動信号を供給する比較増幅回路と、
前記比較増幅回路の出力電流を制御することにより、前記駆動信号の制御を行うために設けられた出力電流制御回路を含む請求項１記載の発光ダイオード点灯回路。
【請求項１０】
前記出力電流制御回路は、前記比較増幅回路からの出力電流を制御するために、前記駆動トランジスタに接続される出力バッファの数を調整するスイッチと、
制御信号に基づいて、前記スイッチのオンオフを制御するスイッチ制御回路とを含む請求項９記載の発光ダイオード点灯回路。
【請求項１１】
前記制御信号は、前記集積回路に設けられた制御端子から入力され、
前記制御信号は、前記駆動信号の制御値を示す信号である請求項３、４、６、および１０のいずれかに記載の発光ダイオード点灯回路。
【請求項１２】
発光ダイオードの駆動電流を制御する駆動トランジスタと、
前記駆動トランジスタを制御する集積回路とを備え、
前記集積回路は、
前記駆動電流に基づく電圧と基準電圧とに基づいて、前記駆動トランジスタを制御する駆動信号を供給する比較増幅回路と、
前記比較増幅回路と前記駆動トランジスタとの間に配置されて、前記比較増幅回路により供給される前記駆動信号の立ち上がり時間及び立ち下がり時間を調整するためのフィルタ回路とを含むことを特徴とする発光ダイオード点灯回路。
【請求項１３】
前記フィルタ回路は、可変抵抗と可変容量との少なくともひとつを含む請求項１２記載の発光ダイオード点灯回路。
【請求項１４】
前記発光ダイオードの輝度を調整するためのＰＷＭ信号に基づいて、前記駆動トランジスタと前記比較増幅回路との間に設けられたスイッチのオンオフを制御するスイッチ制御回路とをさらに含む請求項１から２および請求項４から１２のいずれかに記載の発光ダイオード点灯回路。
【発明の詳細な説明】
【技術分野】
【０００１】
本発明は、ＬＥＤ（発光ダイオード）のような複数の発光素子を集合させて１つの光源を構成し、この光源を照明灯として任意の明るさに点灯制御できるようにした発光ダイオード点灯回路に関する。
【背景技術】
【０００２】
近年のＬＥＤは、その性能アップが急速に進むとともに、照明に不可欠な白色のＬＥＤが開発され、また明るさにおいても照明として十分に使用できる輝度で発光できるようになってきた。
【０００３】
図１３は。従来の発光ダイオード点灯回路の構成を示す回路図である。発光ダイオード点灯回路は、ＬＥＤを６個直列に接続したＬＥＤアレイ９５と、ＬＥＤアレイ９５を点灯させるためにＬＥＤアレイ９５の一端に接続された電源Ｖｄｄ１と、ＬＥＤアレイ９５の他端に接続された定電流回路９１とを備えている。
【０００４】
定電流回路９１は、ＬＥＤアレイ９５の他端に接続されたパワーＭＯＳトランジスタにより構成されて、ＬＥＤアレイ９５の駆動電流を制御する駆動トランジスタ９６と、駆動トランジスタ９６に対してＬＥＤアレイ９５の反対側に接続された抵抗７６と、集積回路により構成されて駆動トランジスタ９６を制御するＬＥＤ駆動回路９７とを備えている。
【０００５】
ＬＥＤ駆動回路９７には、ＬＥＤの輝度コントロール、複数のＬＥＤアレイの駆動、ＬＥＤのオープン検出、ショート検出等、色々な機能が備えられている。しかしながら、図１３には、ＬＥＤアレイ９５に流れる定電流値の制御を行うオペアンプ９８と、輝度コントロールのためのＰＷＭ制御回路７８のみを記載している。
【０００６】
ＬＥＤ駆動回路９７は、オペアンプ９８を有している。オペアンプ９８は、駆動トランジスタ９６によりＬＥＤアレイ９５に供給される駆動電流に基づく電圧Ｖ０と基準電圧Ｖｒｅｆとに基づいて、駆動トランジスタ９６を制御する制御パルスを、スイッチ回路７７を介して駆動トランジスタ９６に供給する。
【０００７】
図１３に示すように、ＬＥＤ駆動回路９７内のオペアンプ９８と駆動トランジスタ９６と抵抗７６とにより定電流回路が構成される。Ｖｒｅｆ端子に入力される基準電圧Ｖｒｅｆと抵抗７６の抵抗値とにより決まる電流によりＬＥＤアレイ９５のＬＥＤが点灯される。
【０００８】
さらに、ＬＥＤ駆動回路９７は、端子ＰＷＭ＿ＩＮから入力されるＰＷＭ波形によりＬＥＤの輝度を調整する機能を備える。ＬＥＤ駆動回路９７は、ＰＷＭ制御回路７８とプルダウントランジスタ７９とを有している。ＰＷＭ制御回路７８は、端子ＰＷＭ＿ＩＮに入力されるＰＷＭ波形に基づいて、スイッチ回路７７及びプルダウントランジスタ７９を制御する。
【０００９】
具体的には、ＰＷＭ制御回路７８は、端子ＰＷＭ＿ＩＮから入力されるＰＷＭ波形が“Ｈ”の場合スイッチ回路７７をオンにし、プルダウントランジスタ７９をオフにする。このとき駆動トランジスタ９６には上記定電流が流れＬＥＤが点灯する。ＰＷＭ波形が”Ｌ“の場合スイッチ回路７７をオフし、プルダウントランジスタ７９をオンする。このときトランジスタ９６がオフしＬＥＤは消灯する。上記のようにＬＥＤのオンオフを繰り返すことによりＬＥＤの輝度を調整することができる。
【００１０】
このようなＬＥＤ点灯回路では、ＬＥＤのオンオフによるちらつきが感じられないような周期のオンオフ期間に対応するため、及び、電源電圧の変動等の影響を受け、ちらつきが発生することを防止するために、駆動トランジスタ９６の駆動能力を大きくしておく必要がある。
【００１１】
しかしながら、基準電圧Ｖｒｅｆと駆動電流に基づく電圧Ｖ０とで電圧差が大きい場合、基準電圧Ｖｒｅｆと電圧Ｖ０との間の電圧差をなくすため、駆動トランジスタ９６を強くバイアスし、電圧Ｖ０を基準電圧Ｖｒｅｆまで急激に立ち上げようとする。このような急峻な電圧Ｖ０の変化はＥＭＩ(Electro Magnetic Interference)ノイズを発生し他の機器へ影響を及ぼす。
【００１２】
このようなＥＭＩノイズの発生を防止するには、特許文献１に開示されているように、駆動トランジスタ９６に相当するトランジスタを２つ用意し、一方のトランジスタの駆動能力を低くしておき、電源投入時等電圧変動が大きい場合には、一方の駆動能力の低いトランジスタを使用するようにする事が考えられる。
【先行技術文献】
【特許文献】
【００１３】
【特許文献１】特開２００１−２８２３７１号公報（２００１年１０月１２日公開）
【発明の概要】
【発明が解決しようとする課題】
【００１４】
しかしながら、ＬＥＤを照明に使用する場合、ＬＥＤに高電圧かつ大電流を流す必要があり、駆動トランジスタ９６は高耐圧プロセスにより作成するトランジスタを使用する必要がある。しかしながら上記大電流の制御等を行うＬＥＤ駆動回路９７は低電圧で動作する事ができる。このため、ＬＥＤ駆動回路９７内に駆動トランジスタ９６を内蔵すると、ＬＥＤ駆動回路９７全体を高耐圧プロセスで作成する必要が発生し、コストが上昇してしまう。従って、ＬＥＤ駆動回路９７と駆動トランジスタ９６とは別部品である必要がある。ＬＥＤ駆動回路９７と駆動トランジスタ９６とは別部品であると、両者間に配線が必要である。この配線の状況によってもＥＭＩノイズの発生状況は異なるため、この状況に合わせて駆動能力を変更する必要があり、配線の状況が異なるＬＥＤ照明の製品毎にトランジスタを選択する必要が発生するという問題が生じる。
【００１５】
また、特許文献１のように駆動能力の異なるトランジスタを使用してＥＭＩノイズの発生を防止しようとすると、駆動能力の異なるトランジスタを使用するためには、ＬＥＤ駆動回路９７と別に複数のトランジスタを用意する必要があり、部品点数が増えコストアップとなる。
【００１６】
本発明の目的は、低コストでＥＭＩノイズの発生を低減することができる発光ダイオード点灯回路を提供することにある。
【課題を解決するための手段】
【００１７】
本発明に係る発光ダイオード点灯回路は、発光ダイオードの駆動電流を制御する駆動トランジスタと、前記駆動トランジスタを制御する集積回路とを備え、前記集積回路は、立ち上がり時間及び立ち下がり時間が制御可能な駆動信号を前記駆動トランジスタに供給することを特徴とする。
【００１８】
この特徴により、駆動信号の立ち上がり時間及び立ち下がり時間が制御されるので、駆動信号の立ち上がり時間及び立ち下がり時間を長くするように制御することにより、駆動信号の微分速度（ｄｖ／ｄｔ）を小さくすることができる。回路のＥＭＩノイズは駆動信号のｄｖ／ｄｔに依存するので、駆動信号の立ち上がり時間及び立ち下がり時間を長くすることにより、発光ダイオード点灯回路のＥＭＩノイズを低コストで低減することができる。
【００１９】
本発明に係る発光ダイオード点灯回路では、前記集積回路は、前記駆動電流に基づく電圧値と基準電圧とに基づいて、前記駆動トランジスタを制御する前記駆動信号を供給する比較増幅回路と、前記比較増幅回路と前記駆動トランジスタとの間に配置されて、前記駆動信号を制御する出力制御回路とを有していることが好ましい。
【００２０】
上記構成により、比較増幅回路により供給される駆動信号のｄｖ／ｄｔを簡単な構成で小さくすることができ、発光ダイオード点灯回路のＥＭＩノイズを低コストで低減することができる。
本発明に係る発光ダイオード点灯回路では、前記集積回路は、前記発光ダイオードの輝度を調整するためのＰＷＭ信号に基づいて、前記発光ダイオードのオンオフ制御を行う回路を備え、前記オンオフ制御を行う回路は、前記比較増幅回路に一端が接続された直列に接続されるスイッチ回路群と、前記ＰＷＭ信号に基づいて前記スイッチ回路群をオンオフするために設けられた制御回路とを含み、前記スイッチ回路群は、少なくとも第１スイッチ回路と第２スイッチ回路とを含み、記出力制御回路は、前記駆動トランジスタと前記第１スイッチ回路の一端との間に配置された第３スイッチと、前記駆動トランジスタと前記第２スイッチ回路の一端との間に配置された第４スイッチと、制御信号に基づいて、前記第３及び第４スイッチのオンオフを制御することにより、前記スイッチ群と前記駆動トランジスタとの接続を変更し、前記駆動トランジスタと、前記比較増幅回路間の抵抗値を変更するスイッチ制御回路とを含むことが好ましい。
【００２１】
上記構成により、輝度調整用のスイッチ回路を用いて、比較増幅回路からの駆動信号のｄｖ／ｄｔを小さくすることができ、発光ダイオード点灯回路のＥＭＩノイズを低コストで低減することができる。また、駆動信号の立ち上がり立下り時間の制御とＰＷＭ制御回路によるパルス制御とを同時に行うことができる。
【００２２】
本発明に係る発光ダイオード点灯回路では、前記出力制御回路は、並列に接続される抵抗値の異なる複数の抵抗と、各抵抗に対応して前記比較増幅回路と前記抵抗との間にそれぞれ設けられた複数のスイッチと、制御信号に基づいて、各スイッチのオンオフを制御することにより前記駆動トランジスタと、前記比較増幅回路との間の抵抗値を変更するスイッチ制御回路とを含むことが好ましい。
【００２３】
上記構成により、比較増幅回路の出力に抵抗を設けて比較増幅回路からの駆動信号のｄｖ／ｄｔを小さくすることができ、発光ダイオード点灯回路のＥＭＩノイズを低コストで低減することができる。
【００２４】
本発明に係る発光ダイオード点灯回路では、前記集積回路は、前記駆動電流に基づく電圧値と基準電圧とに基づいて、前記駆動トランジスタを制御する駆動信号を供給する比較増幅回路と、前記比較増幅回路の動作電流を制御することにより、前記駆動信号の制御を行うために設けられた動作電流制御回路を含むことが好ましい。
【００２５】
上記構成により、比較増幅回路の動作電流が制御され、比較増幅回路の駆動能力が調整されて、比較増幅回路により供給される駆動信号のｄｖ／ｄｔを小さくすることができ、発光ダイオード点灯回路のＥＭＩノイズを低コストで低減することができる。
【００２６】
本発明に係る発光ダイオード点灯回路では、前記動作電流制御回路は、前記比較増幅回路に定電流を供給するために、複数の電流源と、供給される電流源の数を調整するスイッチと、制御信号に基づいて前記スイッチを制御するスイッチ制御回路により、動作電流を制御することが好ましい。
【００２７】
上記構成により、定電流源のトランジスタの数を変更し、即ち、トランジスタのサイズを変更することにより定電流値を変更し、これにより、比較増幅回路の駆動能力を変更して、駆動信号のｄｖ／ｄｔを小さくし、発光ダイオード点灯回路のＥＭＩノイズを低コストで低減することができる。
【００２８】
本発明に係る発光ダイオード点灯回路では、前記動作電流制御回路は、前記比較増幅回路に定電流を供給するためのトランジスタを含み、前記トランジスタのゲート電圧を調整することにより、定電流を調整することが好ましい。
【００２９】
上記構成により、外部から入力された論理信号に基づいて、比較増幅回路の定電流値を変更し、比較増幅回路により供給される制御パルスのｄｖ／ｄｔを小さくすることができ、発光ダイオード点灯回路のＥＭＩノイズを低コストで低減することができる。
【００３０】
本発明に係る発光ダイオード点灯回路では、前記トランジスタのゲート電圧は、抵抗分割回路により作成されることが好ましい。
【００３１】
上記構成により、簡単な構成でゲート電圧を作成することができる。
【００３２】
本発明に係る発光ダイオード点灯回路では、前記集積回路は、前記駆動電流に基づく電圧値と基準電圧とに基づいて、前記駆動トランジスタを制御する前記駆動信号を供給する比較増幅回路と、前記比較増幅回路の出力電流を制御することにより、前記駆動信号の制御を行うために設けられた出力電流制御回路を含むことが好ましい。
【００３３】
上記構成により、比較増幅回路の出力電流を制御して、駆動信号の立ち上がり時間及び立ち下がり時間を長くすることができる。
【００３４】
本発明に係る発光ダイオード点灯回路では、前記出力電流制御回路は、前記比較増幅回路からの出力電流を制御するために、前記駆動トランジスタに接続される出力バッファの数を調整するスイッチと、制御信号に基づいて、前記スイッチのオンオフを制御するスイッチ制御回路とを含むことが好ましい。
【００３５】
上記構成により、簡単な構成で比較増幅回路の出力電流を制御することができる。
【００３６】
本発明に係る発光ダイオード点灯回路では、前記制御信号は、前記集積回路に設けられた制御端子から入力され、前記制御信号は、前記駆動信号の制御値を示す信号であることが好ましい。
【００３７】
上記構成により、駆動信号の立ち上がり時間及び立ち下がり時間を集積回路の外部から制御することができる。
【００３８】
本発明に係る発光ダイオード点灯回路は、発光ダイオードの駆動電流を制御する駆動トランジスタと、前記駆動トランジスタを制御する集積回路とを備え、前記集積回路は、前記駆動電流に基づく電圧と基準電圧とに基づいて、前記駆動トランジスタを制御する駆動信号を供給する比較増幅回路と、前記比較増幅回路と前記駆動トランジスタとの間に配置されて、前記比較増幅回路により供給される前記駆動信号の立ち上がり時間及び立ち下がり時間を調整するためのフィルタ回路とを含むことを特徴とする。
【００３９】
この特徴により、比較増幅回路により供給される制御信号の立ち上がり時間及び立ち下がり時間が調整され、制御信号の立ち上がり時間及び立ち下がり時間を長くするように調整することにより、制御信号のｄｖ／ｄｔを小さくすることができる。回路のＥＭＩノイズは制御信号のｄｖ／ｄｔに依存するので、駆動信号の立ち上がり時間及び立ち下がり時間を長くすることにより、発光ダイオード点灯回路のＥＭＩノイズを低コストで低減することができる。
【００４０】
本発明に係る発光ダイオード点灯回路では、前記フィルタ回路は、可変抵抗と可変容量との少なくともひとつを含むことが好ましい。
【００４１】
上記特徴により、可変抵抗と可変容量との少なくともひとつを調整して、比較増幅回路により供給される制御パルスのｄｖ／ｄｔを小さくすることができ、発光ダイオード点灯回路のＥＭＩノイズを低コストで低減することができる。
【００４２】
本発明に係る発光ダイオード点灯回路では、前記発光ダイオードの輝度を調整するためのＰＷＭ信号に基づいて、前記駆動トランジスタと前記比較増幅回路との間に設けられたスイッチのオンオフを制御するスイッチ制御回路とをさらに含むことが好ましい。
【発明の効果】
【００４３】
本発明に係る発光ダイオード点灯回路は、比較増幅回路により供給される制御パルスの立ち上がり時間及び立ち下がり時間を制御する制御手段を設けたので、制御パルスの微分速度（ｄｖ／ｄｔ）を小さくすることができる。回路のＥＭＩノイズは制御パルスのｄｖ／ｄｔに依存するので、制御パルスの立ち上がり時間及び立ち下がり時間を長くすることにより、発光ダイオード点灯回路のＥＭＩノイズを低コストで低減することができる。
【図面の簡単な説明】
【００４４】
【図１】実施の形態に係る発光ダイオード点灯回路の基本原理を示す回路図である。
【図２】実施の形態１に係る発光ダイオード点灯回路の基本概念を示す回路図である。
【図３】実施の形態１に係る発光ダイオード点灯回路の構成を示す回路図である。
【図４】上記発光ダイオード点灯回路の動作に使用される真理値表を示す図である。
【図５】実施の形態１に係る他の発光ダイオード点灯回路の構成を示す回路図である。
【図６】実施の形態２に係る発光ダイオード点灯回路の構成を示す回路図である。
【図７】実施の形態３に係る発光ダイオード点灯回路の構成を示す回路図である。
【図８】実施の形態３に係る他の発光ダイオード点灯回路の構成を示す回路図である。
【図９】実施の形態３に係るさらに他の発光ダイオード点灯回路の構成を示す回路図である。
【図１０】実施の形態３に係るさらに他の発光ダイオード点灯回路の構成を示す回路図である。
【図１１】実施の形態４に係る発光ダイオード点灯回路の構成を示す回路図である。
【図１２】実施の形態４に係る他の発光ダイオード点灯回路の構成を示す回路図である。
【図１３】従来の発光ダイオード点灯回路の構成を示す回路図である。
【発明を実施するための形態】
【００４５】
本発明の発光ダイオード点灯回路に関する実施の一形態について図１〜図１３に基づいて説明すれば以下のとおりである。
【００４６】
（本発明の基本原理）
図１は、実施の形態に係る発光ダイオード点灯回路の基本原理を示す回路図である。発光ダイオード点灯回路は、ＬＥＤを６個直列に接続したＬＥＤアレイ５と、ＬＥＤアレイ５を点灯させるためにＬＥＤアレイ５の一端に接続された電源Ｖｄｄ１と、ＬＥＤアレイ５の他端に接続された定電流回路１とを備えている。
【００４７】
定電流回路１は、ＬＥＤアレイ５の他端に接続されたパワーＭＯＳトランジスタにより構成されて、ＬＥＤアレイ５の駆動電流を制御する駆動トランジスタ６と、駆動トランジスタ６に対してＬＥＤアレイ５の反対側に接続された抵抗２６と、集積回路により構成されて駆動トランジスタ６を制御するＬＥＤ駆動回路７とを備えている。
【００４８】
ＬＥＤ駆動回路７には、ＬＥＤの輝度コントロール、複数のＬＥＤアレイの駆動、ＬＥＤのオープン検出、ショート検出等、色々な機能が備えられている。しかしながら、図１には、ＬＥＤアレイ５に流れる定電流値の制御を行うオペアンプ８と、輝度コントロールのためのＰＷＭ制御回路２８のみを記載している。
【００４９】
ＬＥＤ駆動回路７は、オペアンプ８を有している。オペアンプ８は、駆動トランジスタ６によりＬＥＤアレイ５に供給される駆動電流に基づく電圧Ｖ０と基準電圧Ｖｒｅｆとに基づいて、駆動トランジスタ６を制御する制御パルスを、スイッチ回路２７を介して駆動トランジスタ６に供給する。
【００５０】
図１に示すように、ＬＥＤ駆動回路７内のオペアンプ８と駆動トランジスタ６と抵抗２６とにより定電流回路が構成される。Ｖｒｅｆ端子に入力される基準電圧Ｖｒｅｆと抵抗２６の抵抗値とにより決まる電流によりＬＥＤアレイ５のＬＥＤが点灯される。
【００５１】
さらに、ＬＥＤ駆動回路７は、端子ＰＷＭ＿ＩＮから入力されるＰＷＭ波形によりＬＥＤの輝度を調整する機能を備える。ＬＥＤ駆動回路７は、ＰＷＭ制御回路２８とプルダウントランジスタ２９とを有している。ＰＷＭ制御回路２８は、端子ＰＷＭ＿ＩＮに入力されるＰＷＭ波形に基づいて、スイッチ回路２７及びプルダウントランジスタ２９を制御する。
【００５２】
具体的には、ＰＷＭ制御回路２８は、端子ＰＷＭ＿ＩＮから入力されるＰＷＭ波形が“Ｈ”の場合スイッチ回路２７をオンにし、プルダウントランジスタ２９をオフにする。このとき駆動トランジスタ６には上記定電流が流れＬＥＤが点灯する。ＰＷＭ波形が”Ｌ“の場合スイッチ回路２７をオフし、プルダウントランジスタ２９をオンする。このとき駆動トランジスタ６がオフしＬＥＤは消灯する。上記のようにＬＥＤのオンオフを繰り返すことによりＬＥＤの輝度を調整することができる。
【００５３】
図１に示す定電流回路１は、前述した図１３に示す従来の定電流回路９１に対してＬＥＤ駆動回路が異なる。ＬＥＤ駆動回路７には、制御端子１２が付加されている。この制御端子１２に入力される制御信号を制御することにより、ＬＥＤ点灯電流を制御するトランジスタ６を駆動する制御パルスＶｏｐの立ち上がり（立下り）時間（ｄｖ／ｄｔ）を制御することができる。
【００５４】
ＬＥＤアレイ５を駆動するための制御パルスＶｏｐが急激に立ち上がると、ＥＭＩ(Electro Magnetic Interference)ノイズが発生してしまう。ＥＭＩノイズは、ｄｖ／ｄｔに依存するため、制御パルスの立ち上がり（立下り）を鈍らせることにより、制御パルスの立ち上がり時間及び立ち下がり時間が長くなり、ＥＭＩノイズの発生を防ぐことができる。
【００５５】
図１に示す回路において、ＬＥＤを６個直列に接続したＬＥＤアレイ５を点灯させるため、電源Ｖｄｄ１と定電流回路１とをＬＥＤアレイ５に接続している。例えば、ＬＥＤを順方向降下電圧Ｖｆが３．６Ｖ（ｔｙｐ．）で白色の発光を行う発光ダイオードであるとした場合、ＬＥＤアレイ５での降下電圧はＬＥＤの順方向降下電圧Ｖｆの総和である２１．６Ｖである。電源Ｖｄｄ１の電圧値を３０Ｖとした場合、駆動トランジスタ６のＬＥＤアレイ５側の電圧は８．４Ｖになる。
【００５６】
ＬＥＤを順方向降下電圧Ｖｆが２．１Ｖ（ｔｙｐ．）で橙色の発光を行う発光ダイオードとした場合、ＬＥＤアレイ５での降下電圧はＬＥＤの順方向降下電圧Ｖｆの総和である１２．６Ｖである。電源Ｖｄｄ１の電圧値を同様に３０Ｖとした場合、駆動トランジスタ６のＬＥＤアレイ５側の電圧は１７．４Ｖになる。
【００５７】
このように、同じ電源Ｖｄｄ１を使用してＬＥＤの点灯を行っても、点灯させるＬＥＤ及び接続するＬＥＤの個数によって、駆動トランジスタ６に印加される電圧に差が生じる。また、照明装置として製品になったときには、ＬＥＤアレイ５と駆動トランジスタ６との間に製品毎に異なる長さの配線等が配置されるため、製品によって異なる寄生素子が駆動トランジスタ６に影響を与える事になる。このため上記のような色々な状況変化により、駆動トランジスタ６がオンするときの電流の流れ方に差が生じる。
【００５８】
図１に示すＬＥＤ駆動回路７は、このような状況に対応するために、制御端子１２に入力される制御信号を制御して、駆動トランジスタ６を駆動する制御パルスＶｏｐの立ち上がり（立下り）時間（ｄｖ／ｄｔ）を制御する。この事により、ＬＥＤ駆動回路７を備えた照明装置は製品毎にＥＭＩノイズの発生を防止するように調整を行う事が可能となる。
【００５９】
以下に、ＬＥＤアレイ５を駆動するための制御パルスＶｏｐのｄｖ／ｄｔを制御する具体的な回路例を以下に示す。
【００６０】
（実施の形態１）
（基本概念）
図２は、実施の形態１に係る発光ダイオード点灯回路の基本概念を示す回路図である。前述した構成要素と同一の構成要素には同一の参照符号を付し、その詳細な説明は繰り返さない。
【００６１】
発光ダイオード点灯回路は定電流回路１Ａを備え、定電流回路１ＡはＬＥＤ駆動回路７Ａを有している。ＬＥＤ駆動回路７Ａのオペアンプ８Ａは、動作電流制御回路２Ａを備えている。動作電流制御回路２Ａは、オペアンプ８Ａの差動部１３８に定電流を供給する定電流源を抜き出して模式的に記載しているもので、定電流を供給するために互いに並列に配置された４個のトランジスタ９ａ・９ｂ・９ｃ・９ｄが設けられている。各トランジスタ９ａ・９ｂ・９ｃ・９ｄのゲートは、制御端子１２に結合されている。
【００６２】
図２には、オペアンプ８Ａの動作電流を制御して駆動能力を変更する概念を示している。オペアンプ８Ａは動作電流制御回路２Ａにより、回路全体で流すことができる電流が定められる定電流機能が備わっている。定電流が少ないとオペアンプ８Ａの出力につながる容量負荷への充電も遅くなるため、オペアンプ８Ａの駆動能力が低くなる。逆に、定電流が大きいと、容量負荷への充電が早くなり、駆動能力が高くなる。
【００６３】
図２に示すＬＥＤ駆動回路７Ａは、オペアンプ８Ａの差動部１３８に供給する定電流の変更をトランジスタ数の変更により行う。駆動能力を変更するための制御端子１２に入力する制御電圧の値に応じて定電流源のトランジスタ数が変更される。即ち、トランジスタのサイズを変更することにより、オペアンプ８Ａの差動部１３８に供給する定電流値を変更する。この事によりオペアンプ８Ａの駆動能力を変更することが可能となる。
【００６４】
上記のようにオペアンプ８Ａの駆動能力の変更と容量負荷への充電速度に前述したような関係が有る。すなわち、駆動能力を下げると、充電速度が遅くなって出力の変化が遅くなり、立ち上がり時間・立ち下がり時間は遅くなる。逆に、駆動能力を上げれば、充電速度が速くなって、立ち上がり時間・立ち下がり時間は速くなる。このように、オペアンプ８Ａの駆動能力の変更により、ＬＥＤ点灯電流を制御するトランジスタ６を駆動する制御パルスＶｏｐの立ち上がり（立下り）時間（ｄｖ／ｄｔ）を制御することができる。
【００６５】
（実施の形態１に係る発光ダイオード点灯回路）
図３は、実施の形態１に係る発光ダイオード点灯回路の構成を示す回路図である。前述した構成要素と同一の構成要素には同一の参照符号を付し、その詳細な説明は繰り返さない。一般的な差動増幅回路により定電流を変更する回路を備えた例を図３に示している。
【００６６】
発光ダイオード点灯回路は定電流回路１Ｂを備え、定電流回路１ＢはＬＥＤ駆動回路７Ｂを有している。ＬＥＤ駆動回路７Ｂは、オペアンプ８Ｂを含み、オペアンプ８Ｂの差動部１３８には、定電流を供給するために図３において互いに並列に配置された４個のトランジスタ９ａ・９ｂ・９ｃ・９ｄが設けられている。各トランジスタ９ａ・９ｂ・９ｃ・９ｄのゲートは、バイアス回路３４に結合されている。
【００６７】
トランジスタ９ａと差動部１３８との間にスイッチ１０ａが設けられている。トランジスタ９ｂと差動部１３８との間にトランジスタ１０ｂが設けられている。トランジスタ９ｃと差動部１３８との間にトランジスタ１０ｃが設けられている。
【００６８】
差動部１３８と駆動トランジスタ６との間にトランジスタ３５が設けられている。トランジスタ３５のゲートは、差動部１３８に接続されている。トランジスタ３５のドレインは駆動トランジスタ６のゲートに接続されている。
【００６９】
駆動トランジスタ６のゲートには、互いに並列に配置された４個のトランジスタ３０ａ・３０ｂ・３０ｃ・３０ｄが設けられている。各トランジスタ３０ａ・３０ｂ・３０ｃ・３０ｄのゲートは、バイアス回路３４に結合されている。
【００７０】
トランジスタ３０ａと駆動トランジスタ６のゲートとの間にトランジスタ３１ａが設けられている。トランジスタ３０ｂと駆動トランジスタ６のゲートとの間にトランジスタ３１ｂが設けられている。トランジスタ３０ｃと駆動トランジスタ６のゲートとの間にトランジスタ３１ｃが設けられている。
【００７１】
ＬＥＤ駆動回路７Ｂには、制御端子１２Ａ・１２Ｂに入力された制御信号に基づいて、トランジスタ１０ａ・１０ｂ・１０ｃ及びトランジスタ３１ａ・３１ｂ・３１ｃのオンオフを制御するスイッチ制御回路１１が設けられている。スイッチ制御回路１１は、セレクタ３２、及び論理素子３３ａ・３３ｂを有している。
【００７２】
図４は、上記発光ダイオード点灯回路の動作に使用される真理値表を示す図である。セレクタ３２は、制御端子１２Ａ・１２Ｂから入力Ａ・Ｂをそれぞれ受け取り、図４に示す真理値表に従って出力Ｑ１・Ｑ２・Ｑ３・Ｑ４を供給する。論理素子３３ａは、出力Ｑ１と出力Ｑ２とに基づいて、図４に示す真理値表に従い、制御信号Ｑ６をトランジスタ１０ｂ及び３１ｂに供給しオンオフを制御する。出力Ｑ１は、そのまま制御信号Ｑ５としてトランジスタ１０ａ及び３１ａに供給されオンオフを制御する。論理素子３３ｂは、出力Ｑ４に基づいて、図４に示す真理値表に従って、制御信号Ｑ７をトランジスタ１０ｃ及び３１ｃに供給しオンオフを制御する。
【００７３】
バイアス回路３４により作成される定電流は、トランジスタ９ａ〜９ｄ、３０ａ〜３０ｄに伝えられる。そして、トランジスタ９ａ〜９ｄ、３０ａ〜３０ｄにバイアス回路３４で作成された定電流と同じ定電流が流れる。
【００７４】
トランジスタ９ａ〜９ｄにて、差動段（オペアンプ８）に定電流を与える。トランジスタ９ａ〜９ｄに流れる定電流は、トランジスタ１０ａ〜１０ｃを使用して、選択的に差動段に与えられる。
【００７５】
つまり、トランジスタ１０ａ〜１０ｃがすべてオンの場合は、差動段に与えられる定電流はトランジスタ９ａ〜９ｄに流れる電流の総和となる。この場合を１とすると、トランジスタ１０ａがオフした場合は３／４の定電流が差動段に与えられ、トランジスタ１０ａ及び１０ｂがオフした場合は、２／４（１／２）の定電流が差動段に与えられ、トランジスタ１０ａ・１０ｂ・１０ｃがオフした場合は１／４の定電流が差動段に与えられる。
【００７６】
トランジスタ３０ａ〜３０ｄは出力段へ定電流を与える。上記と同様にトランジスタ３１ａ〜３１ｃのオンオフにより電流の大きさを変化させることができる。
【００７７】
このときトランジスタ１０ａ〜１０ｃ、３１ａ〜３１ｃのオンオフはセレクタ３２とロジック回路３３ａ・３３ｂにより制御される。
【００７８】
トランジスタ１０ａ〜１０ｃ、３１ａ〜３１ｃは制御信号が“１”のときに導通するスイッチであり、例えばＮｃｈトランジスタにより構成される。図４には、この時の真理値表が示されている。ＬＥＤ駆動回路７Ｂには、制御端子１２Ａ・１２Ｂが備えられており、入力Ａ、Ｂが供給される。
【００７９】
入力Ａと入力Ｂとの２値（０、１）の値の組み合わせにより、セレクタ３２の出力Ｑ１〜Ｑ４のいずれかが“１”になる。トランジスタ１０ａ〜１０ｃ、３１ａ〜３１ｃを制御する制御信号Ｑ５〜Ｑ７の状態はロジックにより図４に示す真理値表の値に決定される。
【００８０】
この事により、入力Ａと入力Ｂとにより、オペアンプ８に流れる定電流の大きさを変化させることができる。具体的には（Ａ、Ｂ）＝（０、０）の場合、作成された定電流は全てオペアンプ８の回路に使用される。この場合の定電流の値を１とすると、（Ａ、Ｂ）＝（０、１）の場合トランジスタ１０ａ、３１ａがオフするため、定電流は３／４になる。（Ａ、Ｂ）＝（１、０）の場合トランジスタ１０ａ、３１ａおよびトランジスタ１０ｂ、３１ｂがオフするため定電流は２／４（１／２）になる。（Ａ、Ｂ）＝（１、１）の場合トランジスタ１０ａ〜１０ｃ、トランジスタ３１ａ〜３１ｃがオフするため定電流は１／４になる。
【００８１】
上記のように制御端子１２Ａ・１２Ｂに入力する値によりオペアンプ８Ｂの定電流の大きさを変えて駆動能力を調整することが可能である。
【００８２】
（実施の形態１に係る他の発光ダイオード点灯回路）
図５は、実施の形態１に係る他の発光ダイオード点灯回路の構成を示す回路図である。前述した構成要素と同一の構成要素には同一の参照符号を付し、その詳細な説明は繰り返さない。図５には、オペアンプ８の定電流の大きさを変更する別の回路例を示している。
【００８３】
発光ダイオード点灯回路は定電流回路１Ｃを備え、定電流回路１ＣはＬＥＤ駆動回路７Ｃを有している。ＬＥＤ駆動回路７Ｃは、オペアンプ８Ｃを含み、オペアンプ８Ｃは差動部１３８に定電流を供給するためのトランジスタ３６ａと、駆動トランジスタ６のゲートに接続されたトランジスタ３６ｂとを有している。ＬＥＤ駆動回路７Ｃには、抵抗分割回路１３により調整されて制御端子１２に入力された制御電圧をトランジスタ３６ａ・３６ｂのゲートに与えるボルテージフォロワのオペアンプ３７が設けられている。トランジスタ３６ａは、抵抗分割回路１３により調整されて制御端子１２に入力された制御電圧に基づいて、差動部１３８に定電流を供給する。
【００８４】
図５に示す例では、固定抵抗と可変抵抗とにより、抵抗分割回路１３を構成して、入力端子１２に入力する電圧値を調整している。
【００８５】
上記のように制御端子１２に与える電圧値により定電流を制御し、オペアンプ８Ｃの駆動能力を変更することができる。
【００８６】
（実施の形態２）      
（実施の形態２に係る発光ダイオード点灯回路）
図６は、実施の形態２に係る発光ダイオード点灯回路の構成を示す回路図である。前述した構成要素と同一の構成要素には同一の参照符号を付し、その詳細な説明は繰り返さない。図６には、オペアンプ８の出力段の電流を変更する回路例が示されている。
【００８７】
発光ダイオード点灯回路は定電流回路１Ｄを備え、定電流回路１ＤはＬＥＤ駆動回路７Ｄを有している。ＬＥＤ駆動回路７Ｄは、オペアンプ８Ｄと、オペアンプ８Ｄから出力する出力電流を制御する出力電流制御回路３Ｄを有している。出力電流制御回路３Ｄは、オペアンプ８Ｄの出力段のトランジスタ数を変更可能にした物で、図６において、駆動トランジスタ６に対して互いに並列に配置された４個のトランジスタ１４ａ・１４ｂ・１４ｃ・１４ｄを有している。各トランジスタ１４ａ・１４ｂ・１４ｃ・１４ｄのゲートは、バイアス回路３４に結合されている。トランジスタ１４ａと駆動トランジスタ６のゲートとの間にトランジスタ１０ａが設けられている。トランジスタ１４ｂと駆動トランジスタ６のゲートとの間にトランジスタ１０ｂが設けられている。トランジスタ１４ｃと駆動トランジスタ６のゲートとの間にトランジスタ１０ｃが設けられている。
【００８８】
出力電流制御回路３Ｄは、制御端子１２Ａ・１２Ｂに入力された制御信号に基づいて、トランジスタ１０ａ・１０ｂ・１０ｃのオンオフを制御するスイッチ制御回路１１を含んでいる。出力電流制御回路３Ｄには、トランジスタ（出力バッファ）３８ａ・３８ｂ・３８ｃ・３８ｄが設けられている。トランジスタ３８ａは、トランジスタ１４ａと接続され、トランジスタ１０ａを介して駆動トランジスタ６のゲートに結合されており、トランジスタ３８ａのゲートは差動部１３８の出力に結合されている。トランジスタ３８ｂは、トランジスタ１４ｂと接続され、トランジスタ１０ｂを介して駆動トランジスタ６のゲートに結合されており、トランジスタ３８ｂのゲートは差動部１３８の出力に結合されている。トランジスタ３８ｃは、トランジスタ１４ｃと接続され、トランジスタ１０ｃを介して駆動トランジスタ６のゲートに結合されており、トランジスタ３８ｃのゲートは差動部１３８の出力に結合されている。トランジスタ３８ｄは、トランジスタ１４ｄと接続され、駆動トランジスタ６のゲートに結合されており、トランジスタ３８ｄのゲートは差動部１３８の出力に結合されている。
【００８９】
ＬＥＤ駆動回路７Ｄには、制御端子１２Ａ・１２Ｂに入力された制御信号に基づいて、トランジスタ１０ａ・１０ｂ・１０ｃ、及びトランジスタ３１ａ・３１ｂ・３１ｃのオンオフを制御する図３で示したものと同じ、スイッチ制御回路１１が設けられている。
【００９０】
スイッチ制御回路１１は、図４に示す真理値表に従い、制御信号Ｑ６をトランジスタ１０ｂに供給しオンオフを制御する。出力Ｑ１は、そのまま制御信号Ｑ５としてトランジスタ１０ａに供給されオンオフを制御する。論理素子３３ｂは、出力Ｑ４に基づいて、図４に示す真理値表に従って、制御信号Ｑ７をトランジスタ１０ｃに供給しオンオフを制御する。
バイアス回路３４により作成される定電流は、トランジスタ１４ａ〜１４ｄに伝えられる。そして、トランジスタ１４ａ〜１４ｄにバイアス回路３４で作成された定電流と同じ定電流が流れる。
【００９１】
トランジスタ１４ａ〜１４ｄにて、出力段（駆動トランジスタ６）に定電流を与える。トランジスタ１４ａ〜１４ｄに流れる定電流は、トランジスタ１０ａ〜１０ｃを使用して、選択的に出力段に与えられる。
【００９２】
図６に示すように、出力段のトランジスタ１４ａ・１４ｂ・１４ｃ・１４ｄを４段設け、この出力トランジスタ１４ａ・１４ｂ・１４ｃ・１４ｄを図３と同じセレクタ３２により、駆動トランジスタ６のゲートとの接続を４段から１段へと変更する。この事により出力段のトランジスタサイズを１から１／４に変更するのと同じ効果が発生し、オペアンプ８の駆動能力の変更が可能となる。
【００９３】
なお、前述した図１〜図３、図５及び図６ではＰＷＭ制御回路２８がある場合を示しているが、本発明はこれに限定されない。上記実施の形態ではオペアンプの制御を行うため、ＰＷＭ制御回路がない場合でも実施可能である。
【００９４】
（実施の形態３）
（実施の形態３に係る発光ダイオード点灯回路）
図７は、実施の形態３に係る発光ダイオード点灯回路の構成を示す回路図である。前述した構成要素と同一の構成要素には同一の参照符号を付し、その詳細な説明は繰り返さない。
【００９５】
発光ダイオード点灯回路は定電流回路１Ｅを備え、定電流回路１ＥはＬＥＤ駆動回路７Ｅを有している。ＬＥＤ駆動回路７Ｅは、オペアンプ９８と駆動トランジスタ６との間に配置されて、オペアンプ９８により供給される制御パルスの立ち上がり時間及び立ち下がり時間を調整するためのフィルタ回路４Ｅを備えている。フィルタ回路４Ｅは、一端が駆動トランジスタ６のゲートに接続され、他端が接地された容量３９と、一端が駆動トランジスタ６のゲート及び容量３９に接続され、他端がトランジスタ３５に接続されて、制御端子１２Ａ・１２Ｂに外付けされた可変抵抗２４とを有している。
【００９６】
オペアンプ９８は図１３で示した従来回路のオペアンプ９８と同様のものであり、図７では内部回路の一例を示している。図７では図１３に示すスイッチ回路７７、ＰＷＭ制御回路７８、プルダウントランジスタ７９を示していないが、図７の実施例ではＰＷＭ制御回路がない場合でも実施が可能である事を示しているだけであり、ＰＷＭ制御回路等を設けても良い。後述する図８〜図１２に示す例についても同様である。
【００９７】
このように外付けの可変抵抗２４と内蔵の容量３９によるフィルタ回路４Ｅを設け、この外付けの可変抵抗２４の抵抗値を変更調整することにより、フィルタの特性を変化させ、オペアンプ８の出力のｄｖ／ｄｔを調整することができる。
【００９８】
（実施の形態３に係る他の発光ダイオード点灯回路）
図８は、実施の形態３に係る他の発光ダイオード点灯回路の構成を示す回路図である。前述した構成要素と同一の構成要素には同一の参照符号を付し、その詳細な説明は繰り返さない。
【００９９】
発光ダイオード点灯回路は定電流回路１Ｆを備え、定電流回路１ＦはＬＥＤ駆動回路７Ｆを有している。ＬＥＤ駆動回路７Ｆは、オペアンプ９８と駆動トランジスタ６との間に配置されて、オペアンプ８により供給される制御パルスの立ち上がり時間及び立ち下がり時間を調整するためのフィルタ回路４Ｆを備えている。フィルタ回路４Ｆは、一端が駆動トランジスタ６のゲートに接続され、他端が接地された容量３９Ａと、一端が駆動トランジスタ６のゲート及び容量３９に接続され、他端がトランジスタ３５に接続されて、制御端子１２Ａ・１２Ｂに外付けされた可変抵抗２４と、一端が可変抵抗２４の他端に接続され、他端が接地された容量３９Ｂとを有している。
【０１００】
このように外付けの可変抵抗２４と内蔵の２個の容量３９Ａ・３９Ｂによるフィルタ回路４Ｆを設け、この外付けの可変抵抗２４の抵抗値を変更調整することにより、フィルタの特性を変化させ、オペアンプ８の出力のｄｖ／ｄｔを調整することができる。
【０１０１】
（実施の形態３に係るさらに他の発光ダイオード点灯回路）
図９は、実施の形態３に係るさらに他の発光ダイオード点灯回路の構成を示す回路図である。発光ダイオード点灯回路は定電流回路１Ｇを備え、定電流回路１ＧはＬＥＤ駆動回路７Ｇを有している。ＬＥＤ駆動回路７Ｇは、オペアンプ８と駆動トランジスタ６との間に配置されて、オペアンプ９８により供給される制御パルスの立ち上がり時間及び立ち下がり時間を調整するためのフィルタ回路４Ｇを備えている。フィルタ回路４Ｇは、一端が駆動トランジスタ６のゲートに接続され、他端が接地された抵抗４０Ａと、一端が駆動トランジスタ６のゲート及び抵抗４０Ａに接続され、他端がトランジスタ３５に接続されて、制御端子１２Ａ・１２Ｂに外付けされた可変容量２５と、一端が可変容量２５の他端に接続され、他端が接地された抵抗４０Ｂとを有している。
【０１０２】
このように外付けの可変容量２５と内蔵の２個の抵抗４０Ａ・４０Ｂによるフィルタ回路４Ｇを設け、この外付けの可変容量２５の容量値を変更調整することにより、フィルタの特性を変化させ、オペアンプ８の出力のｄｖ／ｄｔを調整することができる。
【０１０３】
図１０は、実施の形態３に係るさらに他の発光ダイオード点灯回路の構成を示す回路図である。発光ダイオード点灯回路は定電流回路１Ｈを備え、定電流回路１ＨはＬＥＤ駆動回路７Ｈを有している。ＬＥＤ駆動回路７Ｈは、オペアンプ９８により供給される制御パルスの立ち上がり時間及び立ち下がり時間を調整するためのフィルタ回路４Ｈを備えている。フィルタ回路４Ｈは、一端が制御端子１２に接続され、他端が接地された外付けの可変容量２５によって構成されている。制御端子１２は、駆動トランジスタ６のゲート及びトランジスタ３５に結合されている。
【０１０４】
このように外付けの可変容量２５によるフィルタ回路４Ｈを設け、この外付けの可変容量２５の容量値を変更調整することにより、フィルタの特性を変化させ、オペアンプ９８の出力のｄｖ／ｄｔを調整することができる。
【０１０５】
（実施の形態４）
（実施の形態４に係る発光ダイオード点灯回路）
図１１は、実施の形態４に係る発光ダイオード点灯回路の構成を示す回路図である。前述した構成要素と同一の構成要素には同一の参照符号を付している。これらの構成要素についての詳細な説明は繰り返さない。
前述した実施の形態３において、外付けの電子部品の値を調節することにより、フィルタの特性を変化させ、オペアンプ９８の出力のｄｖ／ｄｔを調整する例を示したが、本発明はこれに限定されない。図３及び図６で前述したように、フィルタを構成する電子部品を並列に設け、制御端子に２値データを入力してセレクタにより部品点数を変更することにより、フィルタの特性を変化させ、オペアンプ８の出力のｄｖ／ｄｔを調整するように構成してもよい。図１１にその一例を示す。
図１１には、オペアンプ９８の出力に抵抗を設けて、出力のｄｖ／ｄｔを変更する例を示している。
【０１０６】
発光ダイオード点灯回路は定電流回路１Ｉを備え、定電流回路１ＩはＬＥＤ駆動回路７Ｉを有している。ＬＥＤ駆動回路７Ｉには、オペアンプ９８と駆動トランジスタ６との間に配置されて、オペアンプ９８から出力された制御パルスを制御する出力制御回路３Ｉが設けられている。
【０１０７】
出力制御回路３Ｉは、駆動トランジスタ６のゲートに接続され、互いに並列に配置されて互いに抵抗値の異なる４個の抵抗ユニット１７ａ・１７ｂ・１７ｃ・１７ｄと、各抵抗ユニット１７ａ・１７ｂ・１７ｃ・１７ｄに対応して各抵抗ユニットとオペアンプ９８との間にそれぞれ設けられた４個のトランジスタ１８ａ・１８ｂ・１８ｃ・１８ｄと、制御端子１２Ａ・１２Ｂに入力された制御信号に基づいて、各トランジスタ１８ａ・１８ｂ・１８ｃ・１８ｄのオンオフを制御するセレクタ３２とを含む。
【０１０８】
抵抗ユニット１７ａは、抵抗Ｒ１によって構成されている。抵抗ユニット１７ｂは、抵抗Ｒ２・Ｒ３を有している。抵抗ユニット１７ｃは、抵抗Ｒ４・Ｒ５・Ｒ６を有している。抵抗ユニット１７ｄは、抵抗Ｒ７・Ｒ８・Ｒ９・Ｒ１０を有している。駆動トランジスタ６のゲートと接地との間には、容量Ｃ１が接続されている。
【０１０９】
オペアンプ９８からの出力のｄｖ／ｄｔは抵抗と容量とにより決まる時定数により変化する。図１２に示すように抵抗を１〜４倍に変更する事により時定数を１〜４倍にする事にして出力のｄｖ／ｄｔを変更する。
【０１１０】
セレクタ３２は、図３及び図６に示すセレクタと同様に、入力Ａ、入力Ｂ＝０、０のとき出力Ｑ１のみが“１”、入力Ａ、入力Ｂ＝０、１のとき出力Ｑ２のみが“１”、入力Ａ、入力Ｂ＝１、０のとき出力Ｑ３のみが“１”、入力Ａ、入力Ｂ＝１、１のとき出力Ｑ４のみ“１”である。出力Ｑ１から出力Ｑ４が“１”になる事によりトランジスタ１８ａ〜１８ｄがオンする。トランジスタ１８ａがオンしたときには抵抗Ｒ１と容量Ｃ１とにより出力波形が決定する。トランジスタ１８ｂがオンしたときには抵抗Ｒ２＋抵抗Ｒ３と容量Ｃ１とにより出力波形が決定する。トランジスタ１８ｃがオンしたときには抵抗Ｒ４＋抵抗Ｒ５＋抵抗Ｒ６と容量Ｃ１とにより出力波形が決定する。トランジスタ１８ｄがオンしたときには抵抗Ｒ７＋抵抗８５＋抵抗Ｒ９＋Ｒ１０と容量Ｃ１とにより出力波形が決定する。
【０１１１】
抵抗Ｒ１〜抵抗Ｒ１０が同じ値の抵抗の場合、時定数が１倍から４倍に変化し、オペアンプ８からの出力のｄｖ／ｄｔを変更することできる。
【０１１２】
上記説明では図１に記載のＰＷＭ波形による輝度調整のＰＷＭ制御回路２８は省略していたが、以下に述べるように、図１１に示す抵抗をスイッチ回路２７ａ〜２７ｄと兼用する事ができる。
【０１１３】
（実施の形態４に係る他の発光ダイオード点灯回路）
図１２は、実施の形態４に係る他の発光ダイオード点灯回路の構成を示す回路図である。前述した構成要素と同一の構成要素には同一の参照符号を付している。これらの構成要素についての詳細な説明は繰り返さない。図１２には、図１１に示す抵抗ユニット１７ａ〜１７ｄを輝度調整用のスイッチ回路２７ａ〜２７ｄで兼用した例を示している。
【０１１４】
発光ダイオード点灯回路は定電流回路１Ｊを備え、定電流回路１ＪはＬＥＤ駆動回路７Ｊを有している。ＬＥＤ駆動回路７Ｊには、オペアンプ８と駆動トランジスタ６との間に配置されて、オペアンプ９８から出力された出力電流を制御する出力制御回路３Ｊが設けられている。
【０１１５】
出力制御回路３Ｊは、直列に結合された４個のスイッチ回路２７ａ・２７ｂ・２７ｃ・２７ｄを有している。スイッチ回路２７ａの一端は、トランジスタ３５に接続されている。スイッチ回路２７ａの他端はスイッチ回路２７ｂの一端に結合されている。スイッチ回路２７ｂの他端はスイッチ回路２７ｃの一端に結合され、スイッチ回路２７ｃの他端はスイッチ回路２７ｄの一端に結合されている。
【０１１６】
スイッチ回路２７ａの他端と駆動トランジスタ６のゲートとの間にトランジスタ１８ａが設けられている。スイッチ回路２７ｂの他端と駆動トランジスタ６のゲートとの間にトランジスタ１８ｂが設けられている。スイッチ回路２７ｃの他端と駆動トランジスタ６のゲートとの間にトランジスタ１８ｃが設けられている。スイッチ回路２７ｄの他端と駆動トランジスタ６のゲートとの間にトランジスタ１８ｄが設けられている。
【０１１７】
出力制御回路３Ｊは、セレクタ３２を有している。セレクタ３２は、制御端子１２Ａ・１２Ｂに入力された制御信号に基づいて、各トランジスタ１８ａ・１８ｂ・１８ｃ・１８ｄのオンオフを制御する。
【０１１８】
トランジスタ１８ａ〜１８ｄは、制御信号が“１”のときに導通するスイッチであり、例えばＮｃｈトランジスタとＰｃｈトランジスタとを並列接続するアナログスイッチにより構成される。
【０１１９】
ＰＷＭ制御回路２８は、スイッチ回路２７ａ〜２７ｄをスイッチングするが、セレクタ３２により、スイッチ回路２７ａから出力される信号、スイッチ回路２７ａとスイッチ回路２７ｂとを通り出力される信号、スイッチ回路２７ａ〜２７ｃを通り出力される信号、スイッチ回路２７ａ〜２７ｄを通り出力される信号を選択する。この事により、図１１に示す抵抗ユニット１７ａ〜１７ｄと同様の効果をスイッチ回路２７ａ〜２７ｄで発生させることができる。
【０１２０】
以上のように実施の形態１〜４によれば、オペアンプ８の出力パルスのｄｖ／ｄｔを、制御端子１２を介して外部から調整可能に構成したので、ＥＭＩ規制の異なる海外またはユーザで作成した照明モジュールごとにオンチップ調整が可能となる。
【０１２１】
また、ＥＭＩノイズの発生を抑えるために、スナバ回路を外装部品として設けるが、本実施の形態に係る発光ダイオード点灯回路（対策回路）を内蔵すると、この外装部品の削減が可能になる。
【０１２２】
ところで、ＬＥＤ駆動用集積回路では、複数色のＬＥＤを点灯させるための複数個の駆動回路が設けられている。この複数色のＬＥＤは、昼白色と電球色とを切り換えて駆動するとか、ＲＧＢの三原色を点灯してカラー照明を行う等の用途に使用される。「ＣＨ」とは、各駆動回路の出力（駆動用トランジスタのゲートを制御する出力）のことを意味する。発明が解決しようとする課題の欄に記載したように、ＬＥＤ駆動回路９７と駆動トランジスタ９６とは別部品であり、ＬＥＤ駆動回路９７と駆動トランジスタ９６との間に配線が存在する。例えば、カラー照明用の電球で、ＲのＬＥＤの駆動トランジスタと、Ｇ、ＢのＬＥＤの駆動トランジスタとを、基板上で離して搭載する必要があり、駆動用集積回路と駆動トランジスタとの間の配線長がＲは長く、Ｇ、Ｂは短くなったとする。この場合、駆動用集積回路のＲのＣＨ（駆動出力）は、本実施の形態に係る発光ダイオード点灯回路（対策回路）で行う出力波形の遅延量を少なくし、Ｒ，ＢのＣＨでは、発光ダイオード点灯回路（対策回路）で行う出力波形の遅延量を多くする調整を行う事ができる。このことにより、各ＬＥＤでの駆動タイミングを調節することができる。
【０１２３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２４】
本発明は、ＬＥＤのような複数の発光素子を集合させて１つの光源を構成し、この光源を照明灯として任意の明るさに点灯制御できるようにした発光ダイオード点灯回路に適用することができる。
【符号の説明】
【０１２５】
１  定電流回路（発光ダイオード点灯回路）
２Ａ  動作電流制御回路
３Ｄ  出力電流制御回路
４Ｅ  フィルタ回路
５  ＬＥＤアレイ（発光ダイオード）
６  駆動トランジスタ
７  ＬＥＤ駆動回路（駆動トランジスタ）
８  オペアンプ（比較増幅回路）
９ａ〜９ｄ  トランジスタ
１０ａ〜１０ｄ  スイッチ
１１  スイッチ制御回路
１２  制御端子
１３  抵抗分割回路
１４ａ〜１４ｄ  トランジスタ
１７ａ〜１７ｄ  抵抗ユニット
１８ａ〜１８ｄ  トランジスタ（スイッチ）
２４  可変抵抗
２５  可変容量
２７  スイッチ回路
１３８  差動部
【図１】
2012160287.tif 000003
【図２】
2012160287.tif 000004
【図３】
2012160287.tif 000005
【図４】
2012160287.tif 000006
【図５】
2012160287.tif 000007
【図６】
2012160287.tif 000008
【図７】
2012160287.tif 000009
【図８】
2012160287.tif 000010
【図９】
2012160287.tif 000011
【図１０】
2012160287.tif 000012
【図１１】
2012160287.tif 000013
【図１２】
2012160287.tif 000014
【図１３】
2012160287.tif 000015